(57)【要約】【課題】１つのみのポートを有し、且つ互換性に優れたメインボードを提供すること。【解決手段】本発明に係るメインボードは、ＵＳＢ装置又はＳＡＴＡ装置と接続されて協働するポートと、ポートに接続される識別モジュールと、ＳＡＴＡ信号処理モジュールと、ＵＳＢ信号処理モジュールと、識別モジュールに接続されている信号端子を有する選択モジュールと、を備える。ポートにＳＡＴＡ装置が接続された場合、識別モジュールは第一信号を出力し、ポートにＵＳＢ装置が接続された場合、識別モジュールは第二信号を出力する。信号端子が第一信号を受信すると、選択モジュールは第一端子と第三端子とを繋いで導通させると共に、第一端子と第二端子との接続を切断し、信号端子が第二信号を受信すると、選択モジュールは第一端子と第二端子とを繋いで導通させると共に、第一端子と第三端子との接続を切断する。【選択図】図１
2015041387.tif 000002
【特許請求の範囲】
【請求項１】
ＵＳＢ装置又はＳＡＴＡ装置と接続して協働するポートと、
前記ポートに接続される識別モジュールと、
ＳＡＴＡ信号処理モジュールと、
ＵＳＢ信号処理モジュールと、
信号端子を有し、且つ前記信号端子が前記識別モジュールに接続されている選択モジュールと、を備えるメインボードであって、
前記ポートに前記ＳＡＴＡ装置が接続された場合、前記識別モジュールは第一信号を出力し、前記ポートに前記ＵＳＢ装置が接続された場合、前記識別モジュールは第二信号を出力し、
前記選択モジュールの第一端子は、前記ポートに接続され、前記選択モジュールの第二端子は、前記ＵＳＢ信号処理モジュールに接続され、前記選択モジュールの第三端子は、前記ＳＡＴＡ信号処理モジュールに接続され、
前記選択モジュールの前記信号端子が前記第一信号を受信すると、前記選択モジュールは、前記第一端子と前記第三端子とを繋いで導通させると共に、前記第一端子と前記第二端子との接続を切断し、
前記選択モジュールの前記信号端子が前記第二信号を受信すると、前記選択モジュールは、前記第一端子と前記第二端子とを繋いで導通させると共に、前記第一端子と前記第三端子との接続を切断することを特徴とするメインボード。
【請求項２】
前記ポートは、ＳＡＴＡポートであり且つ第一ピン、第二ピン、第三ピン、第四ピン、第五ピン、第六ピン、第七ピンを備え、前記ポートが前記ＳＡＴＡ装置と接続された場合、前記第一ピン、前記第四ピン及び前記第七ピンは接地され、前記第二ピン、前記第三ピン、前記第五ピン及び前記第六ピンは、信号を伝送し、
前記ポートが前記ＵＳＢ装置と接続された場合、前記第一ピン〜前記第三ピンは宙に浮いている状態となり、前記第四ピンは接地され、前記第五ピン及び前記第六ピンは信号を伝送し、前記第七ピンは５Ｖの電圧を出力することを特徴とする請求項１に記載のメインボード。
【請求項３】
前記識別モジュールは、前記ポートの前記第二ピン及び前記第三ピンの状態を検出することによって、前記ポートに接続された装置のタイプを判断し且つ対応する信号を出力し、
前記第二ピン及び前記第三ピンがデータを伝送した場合、前記識別モジュールは、第一信号を出力し、前記第二ピン及び前記第三ピンがデータを伝送しなかった場合、前記識別モジュールは、第二信号を出力することを特徴とする請求項２に記載のメインボード。
【発明の詳細な説明】
【技術分野】
【０００１】
本発明は、コンピュータ等の電子装置に用いられるメインボードに関するものである。
【背景技術】
【０００２】
従来のメインボードには、通常複数のＵＳＢポート及び複数のＳＡＴＡポートが設けられる。しかし、使用する際、複数のＵＳＢポート或いは複数のＳＡＴＡポートを同時に使用することはあまりない。故に、複数のＵＳＢポート及び複数のＳＡＴＡポートを設けることは、メインボードの空間を大きく占用する。
【発明の概要】
【発明が解決しようとする課題】
【０００３】
本発明は、上記の問題点に鑑みてなされたものであり、１つのみのポートを有し、且つ互換性に優れたメインボードを提供することを目的とする。
【課題を解決するための手段】
【０００４】
上記の課題を解決するために、本発明に係るメインボードは、ＵＳＢ装置又はＳＡＴＡ装置と接続されて協働するポートと、ポートに接続される識別モジュールと、ＳＡＴＡ信号処理モジュールと、ＵＳＢ信号処理モジュールと、識別モジュールに接続されている信号端子を有する選択モジュールと、を備える。ポートに前記ＳＡＴＡ装置が接続された場合、識別モジュールは第一信号を出力し、ポートに前記ＵＳＢ装置が接続された場合、識別モジュールは第二信号を出力し、選択モジュールの第一端子は、前記ポートに接続され、選択モジュールの第二端子は、ＵＳＢ信号処理モジュールに接続され、前記選択モジュールの第三端子は、前記ＳＡＴＡ信号処理モジュールに接続され、選択モジュールの信号端子が第一信号を受信すると、選択モジュールは、第一端子と第三端子とを繋いで導通させると共に、第一端子と第二端子との接続を切断し、選択モジュールの信号端子が第二信号を受信すると、選択モジュールは、第一端子と第二端子とを繋いで導通させると共に、第一端子と第三端子との接続を切断する。
【発明の効果】
【０００５】
従来技術とは異なり、本発明の識別モジュールは、メインボードのポートに接続された装置のタイプを識別して異なる信号を出力し、選択モジュールを制御して、当該選択モジュールを異なる信号処理モジュールに接続させることができる。従って、本発明のメインボードのポートは、ＳＡＴＡ装置又はＵＳＢ装置と接続して協働することができる。
【図面の簡単な説明】
【０００６】
【図１】本発明の実施形態に係るメインボードの機能モジュールを示す図である。
【発明を実施するための形態】
【０００７】
図１に示すように、本発明の実施形態に係るメインボード１０は、ポート２０と、識別モジュール３０と、選択モジュール４０と、ＳＡＴＡ信号処理モジュール５０と、ＵＳＢ信号処理モジュール６０と、を備える。
【０００８】
ＵＳＢ装置或いはＳＡＴＡ装置は、ポート２０に対応して接続される。識別モジュール３０は、ポート２０に接続されて、ポート２０に接続された外部装置のタイプを識別する。ポート２０にＳＡＴＡ装置が接続された場合、識別モジュール３０は第一信号を出力し、ポート２０にＵＳＢ装置が接続された場合、識別モジュール３０は第二信号を出力する。選択モジュール４０の信号端子は、識別モジュール３０に接続される。選択モジュール４０の第一端子はポート２０に接続され、選択モジュール４０の第二端子はＵＳＢ信号処理モジュール６０に接続され、選択モジュール４０の第三端子はＳＡＴＡ信号処理モジュール５０に接続される。選択モジュール４０の信号端子が第一信号を受信した場合、選択モジュール４０は、第一端子と第三端子を繋いで導通させると共に、第一端子と第二端子との接続を切断する。また、選択モジュール４０の信号端子が第二信号を受信した場合、選択モジュール４０は第一端子と第二端子とを繋いで導通させると共に、第一端子と第三端子との接続を切断する。
【０００９】
ＵＳＢ２.０標準に適合するポートのピンは、表１により定義されている。
【００１０】
【表１】
2015041387.tif 000003
【００１１】
ＳＡＴＡ標準に適合するポートのピンは、表２により定義されている。
【００１２】
【表２】
2015041387.tif 000004
【００１３】
表１及び表２に示すピンの定義から分かるように、ＳＡＴＡ標準に適合するポートは、ＵＳＢ標準に必要な信号を包含している。従って、本実施形態において、ポート２０は、ＳＡＴＡポートを採用し、且つ第一〜第七ピンを含む。ポート２０がＳＡＴＡ装置と接続された場合、第一ピン、第四ピン及び第七ピンは接地され、第二ピン、第三ピン、第五ピン及び第六ピンは、信号の伝送を行う。また、ポート２０がＵＳＢ装置と接続された場合、第一〜第三ピンは宙に浮いている状態となり、第四ピンは接地され、第五ピン及び第六ピンは信号を伝送し、第七ピンは５Ｖの電圧を出力する。
【００１４】
ＳＡＴＡ標準ポートが２対のディファレンシャルラインを含み、且つＵＳＢ標準ポートが１対のみのディファレンシャルラインを含むため、ポート２０がＵＳＢ装置と接続された際、第二ピン及び第三ピンは宙に浮いている状態となり、ポート２０がＳＡＴＡ装置と接続された際、第二ピン及び第三ピンは信号を伝送する。従って、識別モジュール３０は、第二ピン及び第三ピンがデータを伝送するかどうかを検出することによって、ポート２０に接続されたのがＵＳＢ装置又はＳＡＴＡ装置であると判断することができる。識別モジュール３０は、ポート２０の第二ピン及び第三ピンがデータを伝送したことを検出すると、第一信号を出力する。また、これとは逆に、識別モジュール３０は、ポート２０の第二ピン及び第三ピンがデータを伝送しなかったことを検出すると、第二信号を出力する。
【００１５】
メインボード１０を使用する場合、ポート２０にはＳＡＴＡ装置が接続され、且つ識別モジュール３０が、ポート２０の第二ピン及び第三ピンがデータを伝送したことを検出すると、識別モジュール３０は、選択モジュール４０の信号端子に第一信号を出力する。すると、選択モジュール４０は、第一端子と第三端子とを繋いで導通させると共に、第一端子と第二端子との接続を切断する。これにより、ＳＡＴＡ信号処理モジュール５０は、選択モジュール４０及びポート２０を介して、ＳＡＴＡ装置と通信する。
【００１６】
一方、ポート２０にはＵＳＢ装置が接続され、且つ識別モジュール３０がポート２０の第二ピン及び第三ピンがデータを伝送しなかったことを検出すると、識別モジュール３０は、選択モジュール４０の信号端子に第二信号を出力する。すると、選択モジュール４０は、第一端子と第二端子とを繋いで導通させると共に、第一端子と第三端子との接続を切断する。これにより、ＵＳＢ信号処理モジュール６０は、選択モジュール４０及びポート２０を介して、ＵＳＢ装置と通信する。
【００１７】
上記の実施形態から分かるように、識別モジュール３０は、ポート２０に接続された装置のタイプを識別して異なる信号を出力し、選択モジュール４０を制御して、選択モジュール４０を異なる信号処理モジュールに接続させる。従って、本発明のメインボード１０のポート２０は、ＳＡＴＡ装置或いはＵＳＢ装置と接続して協働することができる。
【符号の説明】
【００１８】
１０  メインボード
２０  ポート
３０  識別モジュール
４０  選択モジュール
５０  ＳＡＴＡ信号処理モジュール
６０  ＵＳＢ信号処理モジュール
【図１】
2015041387.tif 000005